(57)【特許請求の範囲】
【請求項１】
取り入れた浄化すべき原液を、その内部を透過させることによって浄化し、浄化液として取り出し得る円筒状のフィルタ本体と、
前記フィルタ本体をその中に収納すべく前記フィルタ本体を囲繞するようにして配設された、前記原液を取り入れる原液取入れ口及び前記浄化液を取り出す浄化液取出し口を備えるとともに前記原液取入れ口及び前記浄化液取出し口以外は密閉されたフィルタケースと、
前記フィルタ本体が前記フィルタケース中の所定位置に位置決めされて収納されるように、また、前記フィルタケースの原液取入れ口から取り入れられた原液が前記フィルタ本体の内部を透過した浄化液に混入することなく前記フィルタケースの浄化液取出し口まで導かれるように、前記フィルタ本体の外縁部を含む領域及び対応する前記フィルタケースの内縁部を含む領域の間に介在させて配設した、前記フィルタ本体の中心軸を含む面で切断した断面形状が二つのＬ字状の少なくとも一つの第１のシール部材と、
を備えてなるフィルタカートリッジであって、
前記第１のシール部材が、その硬度（ショア硬度）が５０〜８０で、その外周壁の直径が端部に向かって漸減するように、前記中心軸方向に対して２〜１０°のテーパが形成されてなるものであり、かつ前記フィルタケースが、前記第１のシール部材のテーパ形成部に対応するその内周壁の直径が端部に向かって漸減するように、前記中心軸方向に対して前記第１のシール部材のテーパー角度以上のテーパが形成されてなるものであり、前記フィルタケースが、そのテーパ形成部において当接する前記第１のシール部材のテーパ形成部を介して、前記フィルタ本体の外縁部を含む領域を押圧する状態で、前記フィルタ本体を収納してなり、
前記第１のシール部材の中央部の開口した内径側には円筒状部が形成され、前記フィルタケースの内縁部を含む領域の端部に前記フィルタ本体に接触しないように形成されてなるとともに、
前記フィルタケースが、前記内縁部を含む領域のうちの端部側で前記第１のシール部材に当接する領域に、円環状の突出部を形成されてなることを特徴とするフィルタカートリッジ。
【請求項２】
前記フィルタ本体の外縁部が、曲率半径０．５〜１．５ｍｍのアール部を形成されてなるとともに、前記第１のシール部材の内縁部が曲率半径１．０〜２．５ｍｍのアール部を形成されてなり、かつ前記第１のシール部材の内縁部の曲率半径が前記フィルタ本体の外縁部の曲率半径よりも大に設定されてなる請求項１に記載のフィルタカートリッジ。
【請求項３】
前記フィルタ本体がセラミックスフィルタである請求項１又は２に記載のフィルタカートリッジ。
【請求項４】
前記フィルタ本体が、その端部側から浄化液を取り出す構造を有するものである請求項１〜３のいずれかに記載のフィルタカートリッジ。
【請求項５】
前記フィルタ本体が、その外周壁側から浄化液を取り出す構造を有するものであり、前記外周壁から取り出された浄化液を前記フィルタケースの浄化液取出し口まで導く流路が形成され、かつ、前記第１のシール部材の外縁部を含む領域及び前記フィルタケースの内縁部を含む領域の間に、前記フィルタ本体の端部と前記フィルタケースの浄化液取出し口との間の連通を遮断する第２のシール部材が配設されてなる請求項１〜３のいずれかに記載のフィルタカートリッジ。
【請求項６】
前記フィルタケースが、前記原液取入れ口を含むケース蓋体部と前記浄化液取出し口を含むケース本体部とにそれぞれ別体に分割されてなるとともに、前記ケース蓋体部の外周壁と前記ケース本体部の内周壁とが、それぞれ対応する領域で螺合することによって取り外し可能に固定、一体化され、かつ、それぞれの対向する端部が緊密に当接している請求項１〜５のいずれかに記載のフィルタカートリッジ。
【発明の詳細な説明】
【０００１】
【発明の属する技術分野】
本発明は、フィルタカートリッジに関する。さらに詳しくは、浄化すべき原液と浄化液との間及びカートリッジの内部と外部との間のシール性及び生産性に優れるとともに、交換が簡易かつ確実で優れたメンテナンス性を有する、特に、化学工業、食品工業等の分野におけるプロセス機器や水道水の家庭用の浄水器等に好適に用いられるフィルタカートリッジに関する。
【０００２】
【従来の技術】
近年、化学工業、食品工業等の分野におけるプロセス機器や水道水の家庭用の浄水器において、原液をその内部に透過させて除菌、濾過等の浄化を行うフィルタとして、セラミックス製や中空糸製のフィルタエレメントをケースに収納したフィルタカートリッジが用いられている。
【０００３】
図５に示すように、このようなフィルタカートリッジとしては、例えば、取り入れた浄化すべき原液３０１を、その内部を透過させることによって浄化し、浄化液３０２として取り出し得る円筒状のフィルタ本体３０３と、フィルタ本体３０３をその中に収納すべくフィルタ本体３０３を囲繞するようにして配設された、原液３０１を取り入れる原液取入れ口３０４及び浄化液３０２を取り出す浄化液取出し口３０５を備えるとともに原液取入れ口３０４及び浄化液取出し口３０５以外は密閉されたフィルタケース３０６と、フィルタ本体３０３がフィルタケース３０６中の所定位置に位置決めされて収納されるように、また、フィルタケース３０６の原液取入れ口３０４から取り入れられた原液３０１がフィルタ本体３０３の内部を透過した浄化液３０２に混入することなくフィルタケース３０６の浄化液取出し口３０５まで導かれるように、フィルタ本体の外縁部を含む領域及び対応するフィルタケースの内縁部を含む領域の間に介在させて配設した、フィルタ本体３０３の中心軸を含む面で切断した断面形状が二つのＬ字状の少なくとも一つのシール部材３０７とを備えてなるフィルタカートリッジ３００が用いられ、フィルタ本体３０３のフィルタケース３０６内での径方向（中心軸に直交する方向）位置は、シール部材３０７の円筒部分で決定されるとともに、中心軸方向位置は、フィルタ本体３０３の端面と対応するフィルタケース３０６との間に介在するシール部材３０７の中央部が開口した円板状部分が相互の部材を押圧し面圧を付与することで、フィルタ本体３０３とフィルタケース３０６の間を液密に固定することで決定される。
【０００４】
このフィルタカートリッジ３００は、フィルタケース３０６が、原液取入れ口３０４を含むケース蓋体部３０６Ａと浄化液取出し口３０５を含むケース本体部３０６Ｂとにそれぞれ別体に分割されてなるとともに、ケース蓋体部３０６Ａの外周壁とケース本体部３０６Ｂの内周壁との間にはシールの確実性を高めるためＯ−リング３０８が配設され、さらにケース蓋体部３０６Ａの外周壁とケース本体部３０６Ｂの内周壁とが、それぞれ対応する領域で螺合することによって取り外し可能に固定、一体化されて構成されている。
【０００５】
また、フィルタ本体３０３及びシール部材３０７は中心軸方向にそれぞれ寸法公差を有しており、これらがフィルタケース３０６の中で好適に液密を確保するために、ケース蓋体部３０６Ａ及びケース本体部３０６Ｂのそれぞれの端部間には長さがＨの隙間３０９が形成されている。
【０００６】
また、原液取入れ口３０４には原液取入れ流路３１０、また浄化液取出し口３０５には浄化液取出し流路３１１がそれぞれ形成され、原液取入れ流路３１０の外周壁及び原液取出し流路３１１の外周壁には、本発明のフィルタカートリッジを、例えば、浄水器本体に液密に接続するための、例えば、Ｏ−リング等を設置する溝３１２、３１３が形成されている。
【０００７】
上述のフィルタカートリッジは、浄化すべき原液と浄化液との間のシール性に一定の効果を発揮するとともに、交換が簡易でメンテナンス性にも一定の効果を発揮する点で優れたものである。
【０００８】
このようなフィルタカートリッジを浄水器に用いた例として、少なくとも活性炭を含む濾過層を有するフィルタカートリッジとケースに内臓されたセラミック膜フィルタとを備えたものが提案されている（特許第３１２４６２７号公報）。
【０００９】
この浄水器は、交換が簡易で、メンテナンス性に一定の効果を発揮するとともに、セラミック膜フィルタの目詰まりや圧力損失の上昇を抑えることができる点で優れたものである。
【００１０】
【発明が解決しようとする課題】
しかしながら、前述のフィルタカートリッジは、部品の組み立て時において部品に一定の寸法公差がないと組み立てが困難になる反面、部品間の寸法公差が大きすぎると浄化すべき原液と浄化液との間及びカートリッジの内部と外部との間のシール性が不十分になるという二律背反の性質を有している上に、その寸法が要求される仕様によって変化した場合、上述のシール性を確保するためには、組み立て時に各部品の寸法をその変化に追随させる（例えば、寸法の相違するフィルタカートリッジごとにまとめて一セットの部品を複数組み揃えることや、各部品の寸法公差（特に、中心軸方向の長さの寸法公差）をそれぞれ精密にコントロールして設定する等）必要があり、部品点数の増加を余儀なくされるとともに、極めて煩雑な作業が要求され、生産性が低下するという問題があった。
【００１１】
また、フィルタ本体（フィルタエレメント）の洗浄や交換のため、各部品を取り外した場合、洗浄や交換終了後の再組み立て時に、分割されたフィルタケースにおける長さＨの隙間が関係する部品の寸法公差のためにバラツキを生じ、フィルタカートリッジ自体の中心軸方向寸法が製品ごとで変化し、フィルタカートリッジの組み立て時に、所期の面圧を確保するため螺合するトルクを規定、管理する設備と熟練度とを必要とし、また、例えば、浄水器にフィルタカートリッジを組み込む場合にフィルタカートリッジが他部品に接触し組み立てできなくなり、さらに、接続個所で液漏れが発生する等の問題があった。
特に、フィルタ本体（フィルタエレメント）として、セラミックスフィルタを用いた場合には、それが高温で処理する焼物である性質上、極めて堅く切削等による寸法調整が極めて困難であるとともに、釉薬を用いる関係から寸法のバラツキの発生が不可避で、寸法の調整が極めて困難であること等から、前記問題が顕著であった。
【００１２】
さらに、前述の浄水器も、上述のものと同様のフィルタカートリッジを用いているため、同様の問題を避けることはできなかった。
【００１３】
本発明は、上述の問題に鑑みなされたもので、浄化すべき原液と浄化液との間及びカートリッジの内部と外部との間のシール性及び生産性に優れるとともに、交換が簡易かつ確実で優れたメンテナンス性を有する、特に、化学工業、食品工業等の関連分野におけるプロセス機器や水道水の家庭用の浄水器等に好適に用いられるフィルタカートリッジを提供することを目的とする。
【００１４】
【課題を解決するための手段】
本発明者らは、上述の課題を解決するべく鋭意研究した結果、フィルタカートリッジの組み立て時に各部品間に生じる寸法公差を許容し得る構成とすることにより、上記目的を達成することができることを知見し、本発明を完成させた。
【００１５】
すなわち、本発明は、以下のフィルタカートリッジを提供するものである。
【００１６】
［１］  取り入れた浄化すべき原液を、その内部を透過させることによって浄化し、浄化液として取り出し得る円筒状のフィルタ本体と、前記フィルタ本体をその中に収納すべく前記フィルタ本体を囲繞するようにして配設された、前記原液を取り入れる原液取入れ口及び前記浄化液を取り出す浄化液取出し口を備えるとともに前記原液取入れ口及び前記浄化液取出し口以外は密閉されたフィルタケースと、前記フィルタ本体が前記フィルタケース中の所定位置に位置決めされて収納されるように、また、前記フィルタケースの原液取入れ口から取り入れられた原液が前記フィルタ本体の内部を透過した浄化液に混入することなく前記フィルタケースの浄化液取出し口まで導かれるように、前記フィルタ本体の外縁部を含む領域及び対応する前記フィルタケースの内縁部を含む領域の間に介在させて配設した、前記フィルタ本体の中心軸を含む面で切断した断面形状が二つのＬ字状の少なくとも一つの第１のシール部材と、を備えてなるフィルタカートリッジであって、前記第１のシール部材が、その硬度（ショア硬度）が５０〜８０で、その外周壁の直径が端部に向かって漸減するように、前記中心軸方向に対して２〜１０°のテーパが形成されてなるものであり、かつ前記フィルタケースが、前記第１のシール部材のテーパ形成部に対応するその内周壁の直径が端部に向かって漸減するように、前記中心軸方向に対して前記第１のシール部材のテーパー角度以上のテーパが形成されてなるものであり、前記フィルタケースが、そのテーパ形成部において当接する前記第１のシール部材のテーパ形成部を介して、前記フィルタ本体の外縁部を含む領域を押圧する状態で、前記フィルタ本体を収納してなり、前記第１のシール部材の中央部の開口した内径側には円筒状部が形成され、前記フィルタケースの内縁部を含む領域の端部に前記フィルタ本体に接触しないように形成されてなるとともに、前記フィルタケースが、前記内縁部を含む領域のうちの端部側で前記第１のシール部材に当接する領域に、円環状の突出部を形成されてなることを特徴とするフィルタカートリッジ。
【００１８】
［２］  前記フィルタ本体の外縁部が、曲率半径０．５〜１．５ｍｍのアール部を形成されてなるとともに、前記第１のシール部材の内縁部が曲率半径１．０〜２．５ｍｍのアール部を形成されてなり、かつ前記第１のシール部材の内縁部の曲率半径が前記フィルタ本体の外縁部の曲率半径よりも大に設定されてなる前記［１］に記載のフィルタカートリッジ。
【００１９】
［３］  前記フィルタ本体がセラミックスフィルタである前記［１］又は［２］に記載のフィルタカートリッジ。
【００２０】
［４］  前記フィルタ本体が、その端部側から浄化液を取り出す構造を有するものである［１］〜［３］のいずれかに記載のフィルタカートリッジ。
【００２１】
［５］  前記フィルタ本体が、その外周壁側から浄化液を取り出す構造を有するものであり、前記外周壁から取り出された浄化液を前記フィルタケースの浄化液取出し口まで導く流路が形成され、かつ、前記第１のシール部材の外縁部を含む領域及び前記フィルタケースの内縁部を含む領域の間に、前記フィルタ本体の端部と前記フィルタケースの浄化液取出し口との間の連通を遮断する第２のシール部材が配設されてなる［１］〜［３］のいずれかに記載のフィルタカートリッジ。
【００２２】
［６］  前記フィルタケースが、前記原液取入れ口を含むケース蓋体部と前記浄化液取出し口を含むケース本体部とにそれぞれ別体に分割されてなるとともに、前記ケース蓋体部の外周壁と前記ケース本体部の内周壁とが、それぞれ対応する領域で螺合することによって取り外し可能に固定、一体化され、かつ、それぞれの対向する端部が緊密に当接している［１］〜［５］のいずれかに記載のフィルタカートリッジ。
【００２３】
【発明の実施の形態】
以下、本発明の実施の形態を、図面を参照しつつ具体的に説明する。
【００２４】
図１に示すように、本発明のフィルタカートリッジは、取り入れた浄化すべき原液１０１を、その内部を透過させることによって浄化し、浄化液１０２として取り出し得る円筒状のフィルタ本体１０３と、フィルタ本体１０３をその中に収納すべくフィルタ本体１０３を囲繞するようにして配設された、原液１０１を取り入れる原液取入れ口１０４及び浄化液１０２を取り出す浄化液取出し口１０５を備えるとともに原液取入れ口１０４及び浄化液取出し口１０５以外は密閉されたフィルタケース１０６と、フィルタ本体１０３がフィルタケース１０６中の所定位置に位置決めされて収納されるように、また、フィルタケース１０６の原液取入れ口１０４から取り入れられた原液１０１がフィルタ本体１０３の内部を透過した浄化液１０２に混入することなくフィルタケース１０６の浄化液取出し口１０５まで導かれるように、フィルタ本体１０３の外縁部を含む領域及び対応するフィルタケース１０６の内縁部を含む領域の間に介在させて配設した、フィルタ本体１０３の中心軸を含む面で切断した断面形状が二つのＬ字状の少なくとも一つの第１のシール部材１０７とを備えてなるフィルタカートリッジ１００である。
【００２５】
また、図２（ａ）、（ｂ）に示すように、本発明のフィルタカートリッジは、第１のシール部材１０７が、その硬度（ショア硬度）が５０〜８０で、その外周壁の直径が端部に向かって漸減するように、中心軸方向に対してテーパ（θ１＝２〜１０°）が形成されてなるものであり、かつフィルタケース１０６（図２においてフィルタケース１０６は成形上の便宜性からケース蓋体部１０６Ａとケース本体部１０６Ｂとに分割されている）は、第１のシール部材１０７のテーパ形成部１０７ａに対応するその内周壁の直径が端部に向かって漸減するように、中心軸方向に対して第１のシール部材１０７のテーパー角度以上のテーパ（θ２）が形成されてなるものであり、ケース蓋体部１０６Ａが、そのテーパ形成部１０６ａにおいて当接する第１のシール部材１０７のテーパ形成部１０７ａを介して、フィルタ本体１０３の外縁部１０３ａを含む領域を押圧する状態で、フィルタ本体１０３を収納してなることを特徴とする。
【００２６】
本発明のフィルタカートリッジの組み立て方法としては、まずフィルタ本体１０３の端部にシール部材１０７を嵌合した後、ケース本体部１０６Ｂに挿入し、さらに、ケース本体部１０６Ｂとケース蓋体部１０６Ａとをそれぞれの対向する端面が当接するまでＯ−リング１０８を取り付けたケース蓋体部１０６Ａをケース本体部１０６Ｂに螺合させ、全体を一体化する方法を挙げることができる。
【００２７】
ここで、第１のシール部材１０７のショア硬度（Ｈｓ）が５０未満であると、シール部材１０７に付加される面圧によりシール部材１０７が塑性変形し液漏れが発生したり変形によってはみ出たシール部材１０７が原液の流路を閉塞する問題が生じ、ショア硬度（Ｈｓ）が８０を超えるとシール部材１０７が弾性変形しにくくなり所期の面圧が不足し液漏れが生じたり、また、面圧を確保するために対応して各部の強度を高くする必要が生じる。
【００２８】
また、第１のシール部材１０７におけるテーパ（θ１）が２°未満であると、フィルタ本体１０３の組み立て時に、螺合する力が、シール部材１０７の中央部が開口した円板状部分に支配的に作用し、円板状部分に過度の面圧が作用することになってシール部材１０７が塑性変形しやすくなる。また、１０°を超えると、フィルタ本体１０３の組み立て時に、螺合する力がシール部材１０７の円筒部分に支配的に作用し、円筒部分に過度の面圧が作用することになってシール部材１０７が塑性変形しやすくなる。
【００２９】
シール部材１０７の中央部が開口した円板状部分の内径側には、円板状部分がフィルタ本体１０３の組み立て時に内径方向に過度に弾性変形しないように、ケース蓋体１０６Ａ及びケース本体部１０６Ｂの内縁部１０６ｂを含む領域の端部にフィルタ本体１０３に接触しない寸法で円筒状部１１４を形成することにより、さらに安定なシール性を確保することができる。
【００３０】
また、本発明のフィルタカートリッジは、フィルタケース１０６（ケース蓋体部１０６Ａ）が、その内縁部１０６ｂを含む領域の端部側で、第１のシール部材１０７に当接する領域に、円環状の突出部１０６Ｃを形成されてなるものであることが好ましい。
【００３１】
このように構成することによって、さらに十分な押圧力を確保してシール性をさらに向上させることができる。
【００３２】
また、図３に示すように、本発明のフィルタカートリッジは、フィルタ本体の外縁部１０３ａが、曲率半径（Ｒ１）０．５〜１．５ｍｍのアール部を形成されてなるとともに、第１のシール部材の内縁部１０７ｂが曲率半径（Ｒ２）１．０〜２．５ｍｍのアール部を形成されてなり、かつ第１のシール部材の内縁部１０７ｂの曲率半径（Ｒ２）が前記フィルタ本体の外縁部１０３ａの曲率半径（Ｒ１）よりも大に設定されてなるものであることが好ましい。
【００３３】
このように構成することで、序々にかつ確実に位置決めしつつ押圧力を発現して十分なシール性を確保することができる。
【００３４】
ここで、本発明のフィルタカートリッジで用いられるフィルタ本体としては、例えば、中空糸製、セラミックス製（その形状としては交互に目封じしたハニカム形状のものやモノリス型形状のもの等がある）、繊維状や粒状の活性炭製等を挙げることができる。中でも、耐熱性や耐食性には優れるが寸法の調整が困難なセラミックスフィルタを好適に用いることができる。
【００３５】
また、本発明のフィルタカートリッジで用いられるフィルタケース（材質）としては、例えば、成形性が容易で、かつ、使用後の回収リサイクルが容易な、ＰＰ、ＡＢＳ、ＰＶＤＦ等の合成樹脂を挙げることができる。
【００３６】
また、本発明のフィルタカートリッジで用いられるシール部材としては、例えば、食品用のシリコーンゴム、天然ゴム、ＥＰゴム等を挙げることができる。
【００３７】
なお、本発明に用いられる原液としては特に制限はなく、例えば、水道水、化学工業、食品工業等で用いられる各種液体等を挙げることができる。
【００３８】
図１に示す本発明のフィルタカートリッジの実施の形態においては、フィルタ本体１０３が、その端部側から浄化液１０２を取り出す構造を有するものである。
【００３９】
一方、図４に示すように、本発明のフィルタカートリッジの他の実施の形態として、フィルタ本体２０３が、その外周壁側から浄化液２０２を取り出す構造を有するもので、外周壁から取り出された浄化液２０２をフィルタケース２０６の浄化液取出し口２０５まで導く流路Ｆ１、Ｆ２が形成され、かつ、第１のシール部材２０７の外縁部を含む領域及びフィルタケースの内縁部を含む領域の間に、フィルタ本体の端部とフィルタケースの浄化液取出し口２０５との間の連通を遮断する第２のシール部材２１４を配設してなるものであってもよい。他の構成は図１に示すフィルタカートリッジの場合と同様である。
【００４０】
このように構成することによって、さらに十分なシール性を確保することができる。
【００４１】
また、図１に示すように（図４に示す場合も同様である）、本発明においては、上述のように、フィルタケース１０６が、原液取入れ口１０４を含むケース蓋体部１０６Ａと浄化液取出し口１０５を含むケース本体部１０６Ｂとにそれぞれ別体に分割されてなるとともに、ケース蓋体部１０６Ａの外周壁とケース本体部１０６Ｂの内周壁とが、それぞれ対応する領域で螺合することによって取り外し可能に固定、一体化され、かつ、それぞれの対向する端部が緊密に当接していることが好ましいが、螺合する代わりに、分割されたフィルタケース１０６（１０６Ａ、１０６Ｂ）の対向するそれぞれの端部を接着剤によって接着するか、又は超音波によって溶着してもよい。また、ケース蓋体部１０６Ａの内周壁とケース本体部１０６Ｂの外周壁とを螺合させたものであってもよい。
【００４２】
このように構成することによって、フィルタ本体及びシール部材が中心軸方向にそれぞれ有する寸法公差が好適に吸収されるため、殊更隙間を形成する必要がなく、フィルタケースの中で好適にシール性を確保することができ、フィルタケースの成形作業及び各部品の交換作業を簡易化することができる。
【００４３】
また、図１に示すように（図４に示す場合も同様である）、本発明のフィルタカートリッジにおいては、ケース蓋体部１０６Ａの外周壁とケース本体部１０６Ｂの内周壁との間にはシールの確実性を高めるためＯ−リング１０８が配設されていることが好ましい。
【００４４】
また、原液取入れ口１０４には原液取入れ流路１１０、また浄化液取出し口１０５には浄化液取出し流路１１１がそれぞれ形成され、原液取入れ流路１１０の外周壁及び原液取出し流路１１１の外周壁には、フィルタカートリッジを、例えば、浄水器本体に液密に接続するための、Ｏ−リング等を設置する溝１１２、１１３が形成されていることが好ましい。
【００４５】
【発明の効果】
以上説明したように、本発明によって、浄化すべき原液と浄化液との間及びカートリッジの内部と外部との間のシール性及び生産性に優れるとともに、交換が簡易かつ確実で優れたメンテナンス性を有する、特に、化学工業、食品工業等の分野におけるプロセス機器や水道水の家庭用の浄水器等に好適に用いられるフィルタカートリッジが提供される。
【図面の簡単な説明】
【図１】  本発明のフィルタカートリッジの一の実施の形態を模式的に示す断面図である。
【図２】  本発明のフィルタカートリッジの一の実施の形態において、フィルタ本体、シール部材及びフィルタケースの組み立て関係の詳細を模式的に示す断面図である。
【図３】  本発明のフィルタカートリッジの一の実施の形態において、フィルタ本体及びシール部材の組み立て関係の詳細を模式的に示す断面図である。
【図４】  本発明のフィルタカートリッジの他の実施の形態を模式的に示す断面図である。
【図５】  従来のフィルタカートリッジの一例を模式的に示す断面図である。
【符号の説明】
１００…フィルタカートリッジ、１０１…原液、１０２…浄化液、１０３…フィルタ本体、１０３ａ…外縁部、１０４…原液取入れ口、１０５…浄化液取出し口、１０６…フィルタケース、１０６Ａ…ケース蓋体部、１０６Ｂ…ケース本体部、１０６Ｃ…円環状の突出部、１０６ａ…テーパ形成部、１０６ｂ…内縁部、１０７…シール部材、１０７ａ…テーパ形成部、１０７ｂ…内縁部、１０８…Ｏ−リング、１１０…原液取入れ流路、１１１…浄化液取出し流路、１１２…溝、１１３…溝、１１４…円筒状部、２００…フィルタカートリッジ、２０１…原液、２０２…浄化液、２０３…フィルタ本体、２０４…原液取入れ口、２０５…浄化液取出し口、２０６…フィルタケース、２０６Ａ…ケース蓋体部、２０６Ｂ…ケース本体部、２０６Ｃ…円環状の突出部、２０７…第１のシール部材、２０８…Ｏ−リング、２１０…原液取入れ流路、２１１…浄化液取出し流路、２１２…溝、２１３…溝、２１４…第２のシール部材、３００…フィルタカートリッジ、３０１…原液、３０２…浄化液、３０３…フィルタ本体、３０４…原液取入れ口、３０５…浄化液取出し口、３０６…フィルタケース、３０６Ａ…ケース蓋体部、３０６Ｂ…ケース本体部、３０７…シール部材、３０８…Ｏ−リング、３０９…長さがＨの隙間、３１０…原液取入れ流路、３１１…浄化液取出し流路、３１２…溝、３１３…溝、Ｒ１、Ｒ２…曲率半径、Ｆ１、Ｆ２…流路。
【図１】
0004361219.tif 000002
【図２】
0004361219.tif 000003
【図３】
0004361219.tif 000004
【図４】
0004361219.tif 000005
【図５】
0004361219.tif 000006